【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
操作キーを有する操作手段と、
短縮コードに対応する電話番号と電子メールアドレスを記憶する記憶手段と、
文書を格納する文書記憶手段と、
前記操作手段によって短縮コードが入力された場合において、該短縮コードに対応する電子メールアドレスが前記記憶手段に記憶されているか否か判断し、該電子メールアドレスが記憶されている場合には、前記文書記憶手段に格納されている文書から前記操作手段によって入力された文書番号に対応する文書を選択して、該電子メールアドレス宛に送信するように制御する制御手段と、
を備えた通信装置。
【請求項２】
前記送信する文書は、リスト表示された文書から選択された文書であることを特徴とする請求項１に記載の通信装置。
【請求項３】
前記操作手段によって短縮コードが入力された場合において、
該短縮コードに基づいてダイヤル発信する場合には、該短縮コードに対応する電話番号が前記記憶手段に記憶されているか否か判断し、該電話番号が記憶されている場合には該電話番号をダイヤル発信することを特徴とする請求項１または２のいずれかに記載の通信装置。
【請求項４】
ダイヤル発信するかあるいは文書を送信するかは、前記短縮コードの入力のあとに操作されたキーに基づいて決まることを特徴とする請求項３に記載の通信装置。
【請求項５】
前記操作手段によって入力されたコードが、短縮コードかあるいは電話番号かどうかを判断するコード判断手段を備え、
前記コード判断手段が、該コードを電話番号と判断した場合には、該コードをダイヤル発信することを特徴とする請求項１乃至４のいずれかに記載の通信装置。
【請求項６】
前記コード判断手段は、前記操作手段によって入力されたコードが、短縮コードかあるいは電話番号かどうかをコードの桁数によって判断することを特徴とする請求項１乃至４のいずれかに記載の通信装置。
【請求項７】
操作キーを有する操作ステップと、
短縮コードに対応する電話番号と電子メールアドレスを記憶する記憶ステップと、
文書を格納する文書記憶ステップと、
前記操作ステップによって短縮コードが入力された場合において、該短縮コードに対応する電子メールアドレスが前記記憶ステップに記憶されているか否か判断し、該電子メールアドレスが記憶されている場合には、前記文書記憶ステップに格納されている文書から前記操作ステップによって入力された文書番号に対応する文書を選択して、該電子メールアドレス宛に送信するように制御する制御ステップと、
を備えた通信装置の制御方法。
【請求項８】
前記送信する文書は、リスト表示された文書から選択された文書であることを特徴とする請求項７に記載の通信装置の制御方法。
【請求項９】
前記操作ステップによって短縮コードが入力された場合において、
該短縮コードに基づいてダイヤル発信する場合には、該短縮コードに対応する電話番号が前記記憶ステップに記憶されているか否か判断し、該電話番号が記憶されている場合には該電話番号をダイヤル発信することを特徴とする請求項７または８のいずれかに記載の通信装置の制御方法。
【請求項１０】
ダイヤル発信するかあるいは文書を送信するかは、前記短縮コードの入力のあとに操作されたキーに基づいて決まることを特徴とする請求項１０に記載の通信装置の制御方法。
【請求項１１】
前記操作ステップによって入力されたコードが、短縮コードかあるいは電話番号かどうかを判断するコード判断ステップを備え、
前記コード判断ステップが、該コードを電話番号と判断した場合には、該コードをダイヤル発信することを特徴とする請求項７乃至１０のいずれかに記載の通信装置の制御方法。
【請求項１２】
前記コード判断ステップは、前記操作ステップによって入力されたコードが、短縮コードかあるいは電話番号かどうかをコードの桁数によって判断することを特徴とする請求項７乃至１０のいずれかに記載の通信装置の制御方法。
【請求項１３】
コンピュータに、請求項７乃至１２のいずれかに記載の通信装置の制御方法の各ステップを機能させることを特徴とするプログラム。
【手続補正２】
【補正対象書類名】明細書
【補正対象項目名】発明の名称
【補正方法】変更
【補正の内容】
【発明の名称】通信装置およびその制御方法およびプログラム
【手続補正３】
【補正対象書類名】明細書
【補正対象項目名】０００１
【補正方法】変更
【補正の内容】
【０００１】
本発明は、電子メール送信を簡便な手順で素早く行うことができる通信装置およびその制御方法およびプログラムに関する。
【手続補正４】
【補正対象書類名】明細書
【補正対象項目名】００１０
【補正方法】変更
【補正の内容】
【００１０】
本発明は、少ない操作回数で電子メールを素早く送信することができる通信装置およびその制御方法およびプログラムを提供することを目的とする。
【手続補正５】
【補正対象書類名】明細書
【補正対象項目名】００１１
【補正方法】変更
【補正の内容】
【００１１】
本発明は、操作キーを有する操作手段と、短縮コードに対応する電話番号と電子メールアドレスを記憶する記憶手段と、文書を格納する文書記憶手段と、前記操作手段によって短縮コードが入力された場合において、該短縮コードに対応する電子メールアドレスが前記記憶手段に記憶されているか否か判断し、該電子メールアドレスが記憶されている場合には、前記文書記憶手段に格納されている文書から前記操作手段によって入力された文書番号に対応する文書を選択して、該電子メールアドレス宛に送信するように制御する制御手段と、を備えた通信装置である。
また、前記送信する文書は、リスト表示された文書から選択された文書である。
また、前記操作手段によって短縮コードが入力された場合において、該短縮コードに基づいてダイヤル発信する場合には、該短縮コードに対応する電話番号が前記記憶手段に記憶されているか否か判断し、該電話番号が記憶されている場合には該電話番号をダイヤル発信するようにしたものである。
また、ダイヤル発信するかあるいは文書を送信するかは、前記短縮コードの入力のあとに操作されたキーに基づいて決まるようにしたものである。
また、前記操作手段によって入力されたコードが、短縮コードかあるいは電話番号かどうかを判断するコード判断手段を備え、前記コード判断手段が、該コードを電話番号と判断した場合には、該コードをダイヤル発信するようにしたものである。
また、前記コード判断手段は、前記操作手段によって入力されたコードが、短縮コードかあるいは電話番号かどうかをコードの桁数によって判断するようにしたものである。
【手続補正６】
【補正対象書類名】明細書
【補正対象項目名】００１２
【補正方法】変更
【補正の内容】
【００１２】
また、操作キーを有する操作ステップと、短縮コードに対応する電話番号と電子メールアドレスを記憶する記憶ステップと、文書を格納する文書記憶ステップと、前記操作ステップによって短縮コードが入力された場合において、該短縮コードに対応する電子メールアドレスが前記記憶ステップに記憶されているか否か判断し、該電子メールアドレスが記憶されている場合には、前記文書記憶ステップに格納されている文書から前記操作ステップによって入力された文書番号に対応する文書を選択して、該電子メールアドレス宛に送信するように制御する制御ステップと、を備えた通信装置の制御方法である。
また、前記送信する文書は、リスト表示された文書から選択された文書である。
また、前記操作ステップによって短縮コードが入力された場合において、該短縮コードに基づいてダイヤル発信する場合には、該短縮コードに対応する電話番号が前記記憶ステップに記憶されているか否か判断し、該電話番号が記憶されている場合には該電話番号をダイヤル発信するようにしたものである。
また、ダイヤル発信するかあるいは文書を送信するかは、前記短縮コードの入力のあとに操作されたキーに基づいて決まるようにしたものである。
また、前記操作ステップによって入力されたコードが、短縮コードかあるいは電話番号かどうかを判断するコード判断ステップを備え、前記コード判断ステップが、該コードを電話番号と判断した場合には、該コードをダイヤル発信するようにしたものである。
また、前記コード判断ステップは、前記操作ステップによって入力されたコードが、短縮コードかあるいは電話番号かどうかをコードの桁数によって判断するようにしたものである。
また、コンピュータに、請求項７乃至１２のいずれかに記載の通信装置の制御方法の各ステップを機能させることを特徴とするプログラムである。。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】